(57)【特許請求の範囲】
【請求項１】
ポリフェニレンを基板上に配置するステップと、
前記ポリフェニレンと液体または超臨界二酸化炭素を、二酸化炭素を前記液体または超臨界状態に保持することができる熱力学的条件で接触させるステップと、
前記熱力学的条件を使用環境温度および圧力に調整するステップとを含む
誘電体材料の製造方法。
【請求項２】
前記ポリフェニレンを液体または超臨界二酸化炭素と接触させる前に、前記ポリフェニレンをポロゲンと接触させるポロゲン接触ステップを含み、
以下に示す（Ａ）〜（Ｃ）のいずれか１つを少なくとも含む請求項１に記載の誘電体材料の製造方法。
（Ａ）前記ポリフェニレンを基板上に配置するステップが、ポリフェニレン膜を基板上に配置するステップであり、かつ、前記ポロゲン接触ステップが、ポリフェニレン膜上に、前記ポリフェニレンの重量を基準として０．０１重量％から１重量％の濃度で水を配置することを含むステップ。
（Ｂ）前記ポロゲン接触ステップが、前記液体または超臨界二酸化炭素に、溶液の総重量を基準として１０重量％までの前記ポロゲンを溶解することを含み、前記ポロゲンが、アセトン、トルエン、メタノール、エタノールおよびプロパノールからなる群から選択されるステップ。
（Ｃ）前記ポロゲン接触ステップが、前記ポリフェニレンの重量を基準として、１重量％までの前記ポロゲンを合体することを含み、前記ポロゲンが、前記ポリフェニレン中のアセトン、トルエン、メタノール、エタノールおよびプロパノールからなる群から選択されるステップ。
【請求項３】
前記ポリフェニレンを基板上に配置するステップが、ポリフェニレン膜を基板上に配置するステップであり、かつ、前記ポロゲン接触ステップが、ポリフェニレン膜上に、前記ポリフェニレンの重量を基準として０．０１重量％から１重量％の濃度で水を配置することを含む、請求項２に記載の誘電体材料の製造方法。
【請求項４】
前記ポロゲン接触ステップが、前記液体または超臨界二酸化炭素に、溶液の総重量を基準として１０重量％までの前記ポロゲンを溶解することを含み、前記ポロゲンが、アセトン、トルエン、メタノール、エタノールおよびプロパノールからなる群から選択される、請求項２に記載の誘電体材料の製造方法。
【請求項５】
前記ポロゲン接触ステップが、前記ポリフェニレンの重量を基準として、１重量％までの前記ポロゲンを合体することを含み、前記ポロゲンが、前記ポリフェニレン中のアセトン、トルエン、メタノール、エタノールおよびプロパノールからなる群から選択される、請求項２に記載の誘電体材料の製造方法。
【請求項６】
前記液体または超臨界状態に保持することができる熱力学的条件で接触させるステップが、３２℃から１００℃の温度、および１，０００ｐｓｉ（７０ｋｇ／ｃｍ2）から８，０００ｐｓｉ（５６２ｋｇ／ｃｍ2）の圧力で行われる、請求項１に記載の誘電体材料の製造方法。
【請求項７】
（ａ）シリコン・ウエーハ上にポリフェニレンをキャストするステップと、
（ｂ）前記キャスト・ポリフェニレンの表面に水を配置するステップであって、前記水が、前記キャスト・ポリフェニレンの総重量を基準として０．０１重量％から１重量％の濃度で存在するステップと、
（ｃ）前記ポリフェニレンと液体または超臨界二酸化炭素を、１，０００ｐｓｉ（７０ｋｇ／ｃｍ2）から８，０００ｐｓｉ（５６２ｋｇ／ｃｍ2）の圧力、および３２℃から１００℃の温度で接触させるステップと、
（ｄ）前記熱力学的条件を使用環境温度および圧力に変えるステップとを含む
誘電体材料の製造方法。
【請求項８】
半導体素子を含む電気アセンブリの形成方法であって、
（ａ）ポリフェニレンを半導体素子の表面上に配置するステップと、
（ｂ）前記ポリフェニレンと液体または超臨界二酸化炭素を、二酸化炭素を前記液体または超臨界状態に維持することができる熱力学的条件で接触させるステップと、
（ｃ）前記半導体素子が維持される前記熱力学的条件を使用環境温度および圧力条件に調整するステップとを含む、方法。
【請求項９】
前記ポリフェニレンを液体または超臨界二酸化炭素と接触させる前に、前記ポリフェニレンをポロゲンと接触させるポロゲン接触ステップを含み、以下に示す（Ａ）〜（Ｃ）のいずれか１つを少なくとも含む請求項８に記載の方法。
（Ａ）前記ポリフェニレンを基板上に配置するステップが、ポリフェニレン膜を基板上に配置するステップであり、かつ、前記ポロゲン接触ステップが、ポリフェニレン膜上に、前記ポリフェニレンの重量を基準として０．０１重量％から１重量％の濃度で水を配置することを含むステップ。
（Ｂ）前記ポロゲン接触ステップが、前記液体または超臨界二酸化炭素に、溶液の総重量を基準として１０重量％までの前記ポロゲンを溶解することを含み、前記ポロゲンが、アセトン、トルエン、メタノール、エタノールおよびプロパノールからなる群から選択されるステップ。
（Ｃ）前記ポロゲン接触ステップが、前記ポリフェニレンの重量を基準として、１重量％までの前記ポロゲンを合体することを含み、前記ポロゲンが、前記ポリフェニレン中のアセトン、トルエン、メタノール、エタノールおよびプロパノールからなる群から選択されるステップ。
【請求項１０】
前記ポリフェニレンを基板上に配置するステップが、ポリフェニレン膜を基板上に配置するステップであり、かつ、前記ポロゲン接触ステップが、ポリフェニレン膜上に、前記ポリフェニレンの重量を基準として０．０１重量％から１重量％の濃度で水を配置することを含む、請求項９に記載の方法。
【請求項１１】
前記ポロゲン接触ステップが、前記液体または超臨界二酸化炭素に、溶液の総重量を基準として１０重量％までの前記ポロゲンを溶解することを含み、前記ポロゲンが、アセトン、トルエン、メタノール、エタノールおよびプロパノールからなる群から選択される、請求項９に記載の方法。
【請求項１２】
前記ポロゲン接触ステップが、前記ポリフェニレンの重量を基準として、１重量％までの前記ポロゲンを合体することを含み、前記ポロゲンが、前記ポリフェニレン中のアセトン、トルエン、メタノール、エタノールおよびプロパノールからなる群から選択される、請求項９に記載の方法。
【請求項１３】
前記ステップ（ｂ）が、３２℃から１００℃の温度、および１，０００ｐｓｉ（７０ｋｇ／ｃｍ2）から８，０００ｐｓｉ（５６２ｋｇ／ｃｍ2）の圧力で行われる、請求項８に記載の方法。
【発明の詳細な説明】
【０００１】
【発明の属する技術分野】
本発明は、誘電体材料およびこれを用いた半導体素子の絶縁方法を対象とする。特に、本発明は、液体または超臨界二酸化炭素を高分子誘電体膜に導入することによって調製される誘電体材料、およびこの誘電体材料を用いて半導体素子を絶縁することを対象とする。
【０００２】
【従来の技術】
相補型金属酸化物半導体（ＣＭＯＳ）の爆発的成長は、こうした半導体素子のサイズが次々と縮小したことに対応して起こった。このＣＭＯＳサイズの縮小は、電気アセンブリの複数のＣＭＯＳ間に配置される絶縁層を次々と薄くすることになった。絶縁層が極端に薄い膜でなければならないという要件は、電気的短絡による電気アセンブリの故障数を増やす誘引となった。もちろん、これらの故障は、こうした薄い絶縁材料の絶縁性能が不適当なためである。
【０００３】
この問題は、当技術分野で見過ごされてきたわけではない。したがって、多くの製品およびプロセスが開発されて、誘電率がより低いより効果的な絶縁材料が提供された。半導体用途用に設計された誘電率が低いポリマーを記載している米国特許第５，５４８，１５９号、第５，９６５，６７９号、第５，９６５，９３４号、および第６，２１８，４９７号が注目される。この用途で使用するために開発されたポリマーには、ポリイミド、フッ素化ポリイミド、ポリオルガノヒドリドシラン、ポリシロキサン、ポリフェニレン、ジビニルシロキサン−ビスベンゾシクロブテン共重合体、ポリベンジル、およびポリアリールエーテルがある。
【０００４】
これらの高分子材料を使用することによって、絶縁特性が改良され半導体を含む電気アセンブリの短絡故障は減少した。しかし、これらの新しく開発されたポリマーの使用によって、上記の「短絡」問題が完全に克服されたわけではない。すなわち、これらの新しいポリマーの誘電特性は従来用いられたものより低いが、これらの新しく開発されたポリマーによってもたらされる電気絶縁の程度は、これらポリマー膜によって分離された半導体素子間の短絡を防止するにはしばしば依然として不適当である。
【０００５】
半導体素子間を絶縁する誘電体材料の高分子膜の不十分さを強調した上記の議論は、適当な絶縁能力をもたらすには新しいポリマーの開発以上の何かが必要であることを示唆するものである。確かに、半導体を含む電気アセンブリに用いられる絶縁材料に課された厳しい要件を満たすためには、従来開発されたものより誘電率がさらに低い高分子材料を開発するための技術の必要性を最近の開発は示唆している。
【０００６】
【発明が解決しようとする課題】
本発明の目的は、絶縁能力に優れた高分子誘電体材料を提供することである。本発明の他の目的は、絶縁能力に優れた高分子誘電体材料を用いた半導体装置を提供することである。
【０００７】
【課題を解決するための手段】
最近開発された小型の半導体素子を使用した電気アセンブリへの使用に適当な、誘電率が低下した新しい種類の高分子材料が開発された。
【０００８】
本発明によれば、新しい誘電体材料が提供される。この誘電体材料は、高分子材料を基板上に配置することによって形成される。それに引き続いて、前記基板上に置かれたポリマーを、二酸化炭素が液体または超臨界状態に維持される熱力学的条件下で、液体または超臨界二酸化炭素と接触させる。次いで、この熱力学的条件を使用環境温度および圧力の条件に変える。
【０００９】
さらに本発明によれば、半導体素子を含む電気アセンブリの絶縁方法が提供される。この方法では、高分子材料を電気アセンブリの表面に配置する。それに引き続いて、電気アセンブリを、二酸化炭素を液体または超臨界状態に維持することができる熱力学的条件下で、液体または超臨界二酸化炭素と接触させる。それに引き続いて、この熱力学的条件を使用環境温度および圧力の条件に調整する。
【００１０】
【発明の実施の形態】
低い誘電率が、電気絶縁に用いられる材料の特徴である。材料が有機であるか無機であるかとは無関係に、材料の誘電率が５以下であれば、その材料は電気絶縁体用の候補とみなされる。したがって、誘電率が５のシリカなどの無機材料および誘電率が約４のポリイミドなどの有機材料は、優れた電気絶縁体とみなされる。
【００１１】
当分野の技術者なら知っているように、半導体素子間の電気絶縁体として有機高分子材料を用いることが好ましい。これは、半導体素子を含む電気アセンブリ上に高分子膜をキャストすることは、その上に無機材料を配置するよりもはるかに容易であるからである。半導体素子を用いた電気アセンブリに電気絶縁体として用いられる好ましいポリマーの種類には、上記のポリイミド、およびフッ素化ポリイミド、ポリオルガノヒドリドシラン、ポリフェニレン、ポリシロキサン、ジビニルシロキサンとビスベンゾシクロブテンの共重合体、ポリベンジル、ポリアリールエーテル、およびポリテトラフルオロエチレンがある。以前最も一般に用いられていたポリマーであるポリイミドよりポリフェニレンの誘電率が低いので、最近はポリフェニレンがこの用途における好ましいポリマーとなった。
【００１２】
特に好ましい種類のポリフェニレンは、Dow Chemical製造の高分子製品であり、その商標ＳｉＬＫ（登録商標）で呼ばれるポリマーである。ＳｉＬＫ（登録商標）の商標で市販されているポリマーは、米国特許第５，９６５，６７９号に記載されており、参照により本明細書に組み込む。ＳｉＬＫ（登録商標）などのポリフェニレンは、誘電率が約３．５のオーダーである。
【００１３】
誘電率が３．５と低い材料は、優れた電気絶縁性を実現する。しかし、要求される電気絶縁性についての上記の議論から、この低い誘電率でも、非常に薄い膜に要求される電気絶縁としては不安であることがはっきりしている。当技術分野では、誘電率が３．５より低い絶縁材料が熱望されていることが明確である。
【００１４】
誘電率が３．５より低い電気絶縁体は、以下に記述する方法によって提供される。本発明は、その作用を説明するどんな理論によっても限定されるものではないが、高分子誘電体材料内に空気を導入することによって誘電率が３．５未満にも低下するので、本発明の絶縁体は当技術分野の著しい進歩を表すものであると思われる。これは、当分野の技術者なら分かるように、空気の誘電率が１であるためである。したがって、用いられる高分子材料とは無関係に、本発明が予期する範囲の高分子材料は、誘電率が従来技術で得られる値より低いものである。空気の導入に伴う誘電率の低下は、絶対値としては大きいものではないかもしれないが、この低下は絶縁能力の著しい改良を伴うものである。
【００１５】
高分子絶縁材料への空気の導入は、本発明の方法によって得られる。この方法では、シリコン・ウエーハなどの半導体素子の少なくとも片面を、上記の任意のポリマーなどの有機電気絶縁体で覆う。これらのポリマーの中では、ポリフェニレンが特に好ましい。
【００１６】
本発明の好ましい実施形態では、ポロゲン（porogen：細孔形成物質）を供給する。すなわち、液体または超臨界二酸化炭素との接触前に、高分子材料をポロゲンと接触させる。本発明のポロゲンは、水、アセトン、トルエン、メタノール、エタノール、プロパノール、およびこれらの混合物からなる群から選択されることが好ましい。この好ましいポロゲンのリストは、排他的とみなすべきではない。他のポロゲンを、上記と代替することができる。
【００１７】
いくつかの高分子材料とポロゲンの接触方法を用いることができる。第１の方法では、ポロゲンをポリマーの表面上に配置する。この方法は、特に好ましいポロゲンである水を用いる場合に特に好ましい。
【００１８】
ポロゲンを導入する第２の方法は、液体または超臨界二酸化炭素にポロゲンを溶解してから、これを高分子材料と接触させるものである。この変形方法では、二酸化炭素以外にポロゲンを第２成分とする液体または超臨界二酸化炭素組成物とポリマーを接触させる。この実施形態では、アセトン、トルエン、メタノール、エタノール、およびプロパノールからなる群からポロゲンを選択することが好ましい。ポロゲンは、溶液の総重量を基準として１０重量％までの濃度で存在することができる。
【００１９】
ポロゲンを導入する第３の方法は、ポロゲンをその中に溶解した高分子誘電体材料組成物を供給する方策を用いる。この方法では、ポロゲンは、ポリマーの重量を基準として約１重量％までの濃度、またはポリマーへのポロゲンの溶解度のどちらか低い濃度で存在する。例えば、水はＳｉＬＫ（登録商標）ポリフェニレンに０．２５重量％程度しか溶解せず、したがってポリマーＳｉＬＫ（登録商標）と水の組成物を用いる場合は、水の最大濃度は０．２５重量％である。
【００２０】
ポロゲンは、ポリマーの重量を基準として約１重量％までの濃度で存在するのが好ましい。ポロゲンは、ポリマーの総重量を基準として約０．０１重量％から約１重量％の濃度で存在するのがさらに好ましい。
【００２１】
特に好ましい実施形態では、誘電ポリマーはポリフェニレン、すなわちＳｉＬＫ（登録商標）であり、かつポロゲンを用いる。この好ましい実施形態では、ポリフェニレン膜層の表面に、ＳｉＬＫ（登録商標）膜の重量を基準として約０．０１重量％から１重量％の濃度で水を配置することが好ましい。
【００２２】
二酸化炭素が浸透する気孔が形成されたら、処理装置に存在する熱力学的条件を使用環境に変える。使用環境温度および圧力で、二酸化炭素は気体になり高分子材料の気孔から逃げる。次いで、これらの気孔は空気で満たされ、高分子材料の誘電率を低下させる。
【００２３】
次に図に移ると、本発明の方法の実施に好適な装置が提供される。ここで、その表面に低誘電率の高分子材料を配置するシリコン・ウエーハなどの半導体素子を参照番号１６で示す。ポリマーおよび任意選択でポロゲン導入ステップを、図示した装置内で行うことができるが、これらのステップはこの装置の外で行うことが好ましい。これら初期加工ステップの場所とは無関係に、素子１６を液体または超臨界二酸化炭素と接触させるステップは、図示した装置で行われる。
【００２４】
半導体素子１６を、この装置の加工室１２の液体または超臨界二酸化炭素接触帯域１４に配置する。ここで、半導体素子１６は、液体または超臨界二酸化炭素に暴露される。加工室１２、特に接触帯域１４は、液体または超臨界二酸化炭素が加工中に液体または超臨界状態に確実に保たれているように設計する。したがって、加工室１２は、約１，０００ｐｓｉ（７０ｋｇ／ｃｍ2）から約８，０００ｐｓｉ（５６２ｋｇ／ｃｍ2）の圧力に維持する。より好ましくは、加工室１２の圧力は、約２，０００ｐｓｉ（１４０ｇ／ｃｍ2）から約５，０００ｐｓｉ（３５１ｋｇ／ｃｍ2）である。さらに好ましくは、加工室１２の圧力は、約３，０００ｐｓｉ（２１０ｋｇ／ｃｍ2）である。加工室１２の温度は、約３２℃から約１００℃に維持する。好ましくは、加工室１２の温度は、約４０℃から約８０℃に維持する。さらに好ましくは、加工室１２の温度は約７０℃である。
【００２５】
上記の熱力学的条件を本発明の加工中維持することがきわめて重要であるので、加工室１２は、熱伝対（図示せず）によって加工室１２の温度を監視することができる熱制御装置３２によって制御される。測定温度は、当技術分野で周知の温度制御手段に従って、制御装置３２によって制御される加熱ジャケット１８によって調節される。
【００２６】
液体または超臨界二酸化炭素は、液体または超臨界二酸化炭素供給源３０から加工室１２へ供給される。図に示すように、供給源３０から供給される液体または超臨界二酸化炭素は、液体または超臨界二酸化炭素供給源３０の下流に配置された高圧ポンプ２８で加圧される。高圧の液体または超臨界二酸化炭素は、導管２２によって加工室１２へ運ばれる。ちなみに、導管２２に通ずる導管３７へ貯蔵領域３６から供給して追加成分を導入するための手段が設けられていることがに留意されたい。二酸化炭素組成物が供給される実施形態では、溶媒は貯蔵領域３６に貯めておき、導管２２と流通している導管３７を経由して加工室１２へ導入することができる。
【００２７】
液体または超臨界二酸化炭素は、再循環してクローズド・システムを形成することができることを強調しておく。この好ましい実施形態では、タンク３４を備えている。タンク３４は、加工室１２にある液体または超臨界二酸化炭素を外管２４を経由して回収または精製し、あるいはその両方を行う。液体または超臨界二酸化炭素は、導管３５を経由して加工室１２へ再循環されて戻る。
【００２８】
下記の実施例は、本発明の範囲を例証するために示すものである。これらの実施例は例証の目的のみで示すものであり、本発明がこれらに限定されるとみなすべきではない。
【００２９】
比較例１
参照により本明細書に組み込んだ米国特許第５，９６５，６７９号に記載のポリフェニレン誘電体材料ＳｉＬＫ（登録商標）を、シリコン・ウエーハ上にキャストして厚み５００ナノメートル（ｎｍ）の層をそこに形成した。得られた高分子膜を試験して誘電率を求めた。D. Van Krevelinが、Physical Properties of Polymers, Elsevier Press, New York,  １９７６年、２３７頁に記載した方法を用いて、J.K. Wollan製造のｎ、ｋエリプソメータで測定するなど２４８ｎｍにおける屈折率手段を用いて、ポリフェニレン膜の誘電率を測定した。
【００３０】
この比較例の概要を表に示す。
【００３１】
実施例１
厚み５００ｎｍのＳｉＬＫ（登録商標）の層を配置したシリコン・ウエーハを、図示した装置で処理した。この装置で、圧力２，０００ｐｓｉ（１４０ｋｇ／ｃｍ2）および温度３２℃で５分間、半導体素子を超臨界二酸化炭素に暴露した。それに引き続いて、加工室１２を使用環境の熱力学的条件に戻した。このように処理したシリコン・ウエーハを加工室１２から取り出し、この絶縁ポリフェニレン膜の誘電率を上記の方法に従って再度測定した。
【００３２】
この実施例の概要を表に示す。
【００３３】
実験例２
第３のサンプルも加工室１２で加工した。しかし、このサンプルは超臨界二酸化炭素に５分間暴露したが、加工室１２の熱力学的条件を実施例１と異なるものとした。熱力学的条件は、圧力５，０２７ｐｓｉ（３５３ｋｇ／ｃｍ2）および温度７０℃に維持した。再度、誘電率を２４８ｎｍにおける屈折率手段によって測定した。
【００３４】
この実施例の概要を表に示す。
【表１】
0004097250.tif 000002
【００３５】
実験例３
厚み４５０ｎｍのＳｉＬＫ（登録商標）の膜をシリコン・ウエーハ上に配置した。高分子膜の重量を基準として１重量％未満を構成する水のコーティングをこの膜層の上に配置し、加工室１２の接触帯域１４に置いた。それに引き続いて、超臨界二酸化炭素を、圧力６，５００ｐｓｉ（４５７ｋｇ／ｃｍ2）および温度７０℃で、加工室１２の帯域１４に導入した。この接触は１５分間続けた。次いで、加工室１２の条件を、加工室を大気開放することによって使用環境に戻した。
【００３６】
この接触によって多孔質の誘電膜層が生成した。原子間力顕微鏡法および走査電子顕微鏡法によって、この膜の中に１０ｎｍを超える細孔および凹みがあることが分かった。
【００３７】
上記実施形態および実施例は、本発明の範囲および精神を例証するために提供される。当分野の技術者であれば、これらの実施形態および実施例によって、その他の実施形態および実施例も明らかとなろう。これらの他の実施形態および実施例は、本発明の所期の範囲内にある。したがって、本発明は、頭記の特許請求の範囲によってのみ限定されるものである。
【００３８】
まとめとして、本発明の構成に関して以下の事項を開示する。
【００３９】
（１）誘電体材料であって、
高分子材料を基板上に配置するステップと、
前記高分子材料と液体または超臨界二酸化炭素を、二酸化炭素を前記液体または超臨界状態に保持することができる熱力学的条件で接触させるステップと、
前記熱力学的条件を使用環境温度および圧力に調整するステップとによって形成される生成物を含む誘電体材料。
（２）前記高分子材料が、ポリイミド、フッ素化ポリイミド、ポリオルガノヒドリドシラン、ポリシロキサン、ポリフェニレン、ジビニルシロキサンとビスベンゾシクロブテンとの共重合体、ポリベンジル、ポリアリールエーテル、およびポリテトラフルオロエチレンからなる群から選択される、上記（１）に記載の誘電体材料。
（３）前記高分子材料がポリフェニレンである、上記（２）に記載の誘電体材料。
（４）前記高分子材料を、ポロゲンの存在下に液体または超臨界二酸化炭素と接触させる、上記（１）に記載の誘電体材料。
（５）前記ポロゲンが、前記高分子材料上に前記ポロゲンを配置すること、前記ポロゲンを前記高分子材料と混合すること、または前記ポロゲンを前記液体または超臨界二酸化炭素と混合することによって存在する、上記（４）に記載の誘電体材料。
（６）前記ポロゲンが、ポリフェニレン膜上に水を配置することによって存在し、前記水が、前記ポリフェニレンの重量を基準として約０．０１重量％から約１重量％である、上記（５）に記載の誘電体材料。
（７）前記ポロゲンが、前記液体または超臨界二酸化炭素の総重量を基準として約１０重量％までの濃度で、前記液体または超臨界二酸化炭素にポロゲンを溶解することによって存在し、前記ポロゲンが、アセトン、トルエン、メタノール、エタノールおよびプロパノールからなる群から選択される、上記（５）に記載の誘電体材料。
（８）前記ポロゲンが、前記高分子材料の重量を基準として約１重量％までのポロゲンを前記高分子材料と混合することによって存在し、前記ポロゲンが、アセトン、トルエン、メタノール、エタノールおよびプロパノールからなる群から選択される、上記（５）に記載の誘電体材料。
（９）前記ポロゲンが、約０．２５重量％までの濃度で存在する水であり、前記高分子材料がポリフェニレンである、上記（８）に記載の誘電体材料。
（１０）前記基板がシリコン・ウエーハである、上記（１）に記載の誘電体材料。
（１１）誘電体材料であって、
（ａ）シリコン・ウエーハ上にポリフェニレンをキャストするステップと、
（ｂ）前記キャスト・ポリフェニレンの表面に水を配置するステップであって、前記水が、前記キャスト・ポリフェニレンの総重量を基準として約０．０１重量％から約１重量％の濃度で存在するステップと、
（ｃ）前記ポリフェニレンと液体または超臨界二酸化炭素を、約１，０００ｐｓｉ（７０ｋｇ／ｃｍ2）から約８，０００ｐｓｉ（５６２ｋｇ／ｃｍ2）の圧力、および約３２℃から約１００℃の温度で接触させるステップと、
（ｄ）前記熱力学的条件を使用環境温度および圧力に変えるステップとによって形成される生成物を含む誘電体材料。
（１２）半導体素子を含む電気アセンブリの形成方法であって、
（ａ）高分子材料を半導体素子の表面上に配置するステップと、
（ｂ）前記高分子材料と液体または超臨界二酸化炭素を、二酸化炭素を前記液体または超臨界状態に維持することができる熱力学的条件で接触させるステップと、
（ｃ）前記半導体素子が維持される前記熱力学的条件を使用環境温度および圧力条件に調整するステップとを含む方法。
（１３）前記高分子材料が、ポリイミド、フッ素化ポリイミド、ポリオルガノヒドリドシラン、ポリシロキサン、ポリフェニレン、ジビニルシロキサンとビスベンゾシクロブテンとの共重合体、ポリベンジル、ポリアリールエーテル、およびポリテトラフルオロエチレンからなる群から選択される上記（１２）に記載の方法。
（１４）前記高分子材料がポリフェニレンである、上記（１３）に記載の方法。
（１５）前記高分子材料を液体または超臨界二酸化炭素と接触させる前に、前記高分子材料をポロゲンと接触させるステップを含む、上記（１２）に記載の方法。
（１６）前記ポロゲン接触ステップが、前記ポロゲンをポリフェニレン膜に、前記ポリフェニレンの重量を基準として約０．０１重量％から約１重量％の濃度で配置することを含む、上記（１５）に記載の方法。
（１７）前記ポロゲン接触ステップが、前記液体または超臨界二酸化炭素に、溶液の総重量を基準として約１０重量％までの前記ポロゲンを溶解することを含み、前記ポロゲンが、アセトン、トルエン、メタノール、エタノールおよびプロパノールからなる群から選択される、上記（１５）に記載の方法。
（１８）前記ポロゲン接触ステップが、前記高分子材料の重量を基準として、約１重量％までの前記ポロゲンを合体することを含み、前記ポロゲンが、前記高分子材料中のアセトン、トルエン、メタノール、エタノールおよびプロパノールからなる群から選択される、上記（１５）に記載の方法。
（１９）前記ポロゲン接触ステップが、ポリフェニレンの重量を基準として約０．２５％までの水をポリフェニレンに合体することを含む、上記（１５）に記載の方法。
（２０）前記ステップ（ｂ）が、約３２℃から約１００℃の温度、および約１，０００ｐｓｉ（７０ｋｇ／ｃｍ2）から約８，０００ｐｓｉ（５６２ｋｇ／ｃｍ2）の圧力で行われる、上記（１２）に記載の方法。
【図面の簡単な説明】
【図１】高分子材料を液体または超臨界二酸化炭素と接触させるプロセスに用いられる装置の模式図である。
【符号の説明】
１２  加工室
１４  液体または超臨界二酸化炭素接触帯域
１６  半導体素子
１８  加熱ジャケット
２２  導管
２４  外管
２８  高圧ポンプ
３０  液体または超臨界二酸化炭素供給源
３２  熱制御装置
３４  タンク
３５  導管
３６  貯蔵領域
３７  導管
【図１】
0004097250.tif 000003